(57)【要約】    【課題】      安価で効率的に施設利用者の位置情報を取得するとともに、メンテナンスの簡便化を図ること。    【解決手段】  携帯端末装置１００は、識別情報保持装置２００ａや識別情報保持装置２００ｂへ無線で電源を供給し、これらの識別情報保持装置２００ａ、２００ｂに保持されている装置固有の識別情報を読み取る。そして、携帯端末装置１００は、自装置の識別情報と識別情報保持装置２００ａ、２００ｂの識別情報とを情報処理装置３００へ送信する。情報処理装置３００は、携帯端末装置１００から送信された識別情報のうち、識別情報保持装置２００ａ、２００ｂの識別情報に対応する位置情報を検索し、この位置情報を携帯端末装置１００へ返信する。  【選択図】      図１
2006078318.tif 000002
【特許請求の範囲】
【請求項１】
所定の位置に設置される識別情報保持装置と、ユーザが所持する携帯端末装置と、ユーザの位置を検索する情報処理装置と、を有する位置情報取得システムであって、
前記携帯端末装置は、
前記識別情報保持装置へ無線で電源を供給する供給手段と、
電源が供給された識別情報保持装置によって保持されている前記識別情報保持装置に固有の識別情報を取得する取得手段と、
取得された識別情報を前記情報処理装置へ送信する送信手段と、を有し、
前記情報処理装置は、
前記識別情報保持装置の識別情報と前記識別情報保持装置の位置情報とを対応づけて記憶する記憶手段と、
前記識別情報を受信する受信手段と、
記憶された位置情報のうち受信された識別情報に対応する位置情報を前記携帯端末装置へ送信する送信手段と、を有することを特徴とする位置情報取得システム。
【請求項２】
前記携帯端末装置は、
前記携帯端末装置に固有の識別情報を前記識別情報保持装置の識別情報と共に送信し、
前記情報処理装置は、
前記携帯端末装置の識別情報から前記位置情報を送信する宛先を前記携帯端末装置に設定する設定手段、をさらに有することを特徴とする請求項１記載の位置情報取得システム。
【請求項３】
前記情報処理装置は、
前記携帯端末装置から複数の識別情報を受信した場合に、前記複数の識別情報に対応する複数の位置情報から前記携帯端末装置の位置を算出する算出手段、をさらに有することを特徴とする請求項１記載の位置情報取得システム。
【請求項４】
所定の位置に設置される識別情報保持装置と、ユーザが所持する携帯端末装置と、ユーザの位置を検索する情報処理装置と、を有する位置情報取得システムであって、
前記携帯端末装置は、
前記識別情報保持装置へ無線で電源を供給する供給手段と、
電源が供給された識別情報保持装置によって保持されている前記識別情報保持装置に固有の識別情報を取得する取得手段と、
前記識別情報が取得された時の前記携帯端末装置の位置を測定して位置情報を取得する測定手段と、
取得された識別情報および位置情報を前記情報処理装置へ送信する送信手段と、を有し、
前記情報処理装置は、
前記識別情報保持装置の識別情報と前記識別情報保持装置の位置情報とを対応づけて記憶する記憶手段と、
前記識別情報および前記位置情報を受信する受信手段と、
記憶された位置情報のうち受信された識別情報に対応する位置情報を受信された位置情報に更新する更新手段と、を有することを特徴とする位置情報取得システム。
【請求項５】
所定の位置に設置される識別情報保持装置と電波で交信する携帯端末装置であって、
前記識別情報保持装置へ無線で電源を供給する供給手段と、
電源が供給された識別情報保持装置によって保持されている前記識別情報保持装置に固有の識別情報を取得する取得手段と、
取得された識別情報を送信する送信手段と、
を有することを特徴とする携帯端末装置。
【請求項６】
前記識別情報が取得された時の自装置の位置を測定して位置情報を取得する測定手段、をさらに有し、
前記送信手段は、
取得された識別情報および位置情報を送信することを特徴とする請求項５記載の携帯端末装置。
【請求項７】
所定の位置に設置される識別情報保持装置と、ユーザが所持する携帯端末装置と、ユーザの位置を検索する情報処理装置と、を有する位置情報取得システムにおける位置情報取得方法であって、
前記携帯端末装置が、
前記識別情報保持装置へ無線で電源を供給するステップと、
電源が供給された識別情報保持装置によって保持されている固有の識別情報を取得するステップと、
取得された識別情報を前記情報処理装置へ送信するステップと、
前記情報処理装置が、
前記識別情報を受信するステップと、
受信された識別情報に対応してあらかじめ記憶されている位置情報を検索するステップと、
検索された位置情報を前記携帯端末装置へ送信するステップと、
を有することを特徴とする位置情報取得方法。
【請求項８】
所定の位置に設置される識別情報保持装置と、ユーザが所持する携帯端末装置と、ユーザの位置を検索する情報処理装置と、を有する位置情報取得システムにおける位置情報取得方法であって、
前記携帯端末装置が、
前記識別情報保持装置へ無線で電源を供給するステップと、
電源が供給された識別情報保持装置によって保持されている固有の識別情報を取得するステップと、
前記識別情報が取得された時の前記携帯端末装置の位置を測定して位置情報を取得するステップと、
取得された識別情報および位置情報を前記情報処理装置へ送信するステップと、
前記情報処理装置が、
前記識別情報および前記位置情報を受信するステップと、
受信された識別情報に対応してあらかじめ記憶されている位置情報を受信された位置情報に更新するステップと、
を有することを特徴とする位置情報取得方法。
【発明の詳細な説明】
【技術分野】
【０００１】
本発明は、位置情報取得システム、携帯端末装置、および位置情報取得方法に関し、特に、例えばホテルや遊園地などの施設において利用者の位置を把握するために用いられる位置情報取得システム、携帯端末装置、および位置情報取得方法に関する。
【背景技術】
【０００２】
従来から、ホテルや遊園地などの施設において、その施設の利用者の位置に関する情報を取得するために、様々な工夫が試みられている。例えば、施設内で迷っている施設利用者を捜索する場合は、施設内全体にアナウンスを行うのが一般的である。例えば、施設内で子供が迷子になった場合には、施設の従業員等がその子供の家族からの依頼に応じて施設内にアナウンスし、子供を目撃したほかの施設利用者に情報提供を求めるか、あるいは迷子に直接的に呼びかけを行う。このようなアナウンスは、例えばレストラン等の施設において、予約をしていた顧客が予定の時間に来ない場合に、その顧客を呼び出すために使用されることもある。
【０００３】
このようなアナウンスを用いた施設利用者の捜索方法は、捜索の依頼者から捜索される者（被捜索者）の名前や特徴等を聞き出し、この情報に基づいて行うのが一般的である。しかし、例えば非常に低年齢の迷子からその家族の捜索を依頼された場合は、アナウンスすべき情報をその子供から聞き出すことができないことがある。また、施設内でアナウンスを行ったとしても、そのアナウンスが被捜索者またはその目撃者に聴かれない場合があり、必ずしも効率的な捜索ができるわけではない。
【０００４】
そこで、例えば特許文献１には、ＩＣタグを用いて施設の利用者の位置を把握する技術が開示されている。特許文献１においては、利用者が所持しているＩＣタグの識別情報を施設内の所定の位置に設置されたセンサが読み取り、ＩＣタグの識別情報とこの識別情報を読み取ったセンサの位置情報から利用者の位置が把握される。そして、利用者の位置情報は、データベースに記録され、必要に応じて外部の携帯電話などから特定の利用者の位置情報を呼び出すことができる。
【特許文献１】特開２００３-０６１１３１号公報
【発明の開示】
【発明が解決しようとする課題】
【０００５】
しかしながら、上記従来の技術においては、ＩＣタグの識別情報を読み取るには比較的多くの電力を使用するため、施設内の所定の場所に配置されるセンサには、有線で電源を供給する必要がある。このような状況では、例えば広い屋外遊園地の全域をカバーするようにセンサを設置するとコストが膨大になるため、限られた場所にのみセンサを設置することになる。
【０００６】
このため、コストのわりには利用者の位置を効率的に把握する効果が得られないという問題がある。また、センサの位置を変更する場合などは、手動でセンサの位置情報を登録し直す必要が生じ、メンテナンスにも手間がかかる。
【０００７】
本発明は、かかる点に鑑みてなされたものであり、安価で効率的に施設利用者の位置情報を取得することができるとともに、メンテナンスの簡便化を図ることができる位置情報取得システム、携帯端末装置、および位置情報取得方法を提供することを目的とする。
【課題を解決するための手段】
【０００８】
本発明に係る位置情報取得システムは、所定の位置に設置される識別情報保持装置と、ユーザが所持する携帯端末装置と、ユーザの位置を検索する情報処理装置と、を有する位置情報取得システムであって、前記携帯端末装置は、前記識別情報保持装置へ無線で電源を供給する供給手段と、電源が供給された識別情報保持装置によって保持されている前記識別情報保持装置に固有の識別情報を取得する取得手段と、取得された識別情報を前記情報処理装置へ送信する送信手段と、を有し、前記情報処理装置は、前記識別情報保持装置の識別情報と前記識別情報保持装置の位置情報とを対応づけて記憶する記憶手段と、前記識別情報を受信する受信手段と、記憶された位置情報のうち受信された識別情報に対応する位置情報を前記携帯端末装置へ送信する送信手段と、を有する構成を採る。
【０００９】
この構成によれば、所定の位置に設置された識別情報保持装置の識別情報を携帯端末装置が無線で電源を供給することにより取得し、この識別情報に対応する位置情報を情報処理装置が携帯端末装置へ送信するため、例えばホテルや遊園地などの施設に設置する識別情報保持装置が電源を備える必要がない。したがって、識別情報保持装置の構成を簡易なものとしてコストを大幅に低減することができ、施設内に万遍なく識別情報保持装置を設置することができる。この結果、安価で効率的に携帯端末装置を所持している施設利用者の位置情報を取得することができる。
【００１０】
本発明に係る位置情報取得システムは、所定の位置に設置される識別情報保持装置と、ユーザが所持する携帯端末装置と、ユーザの位置を検索する情報処理装置と、を有する位置情報取得システムであって、前記携帯端末装置は、前記識別情報保持装置へ無線で電源を供給する供給手段と、電源が供給された識別情報保持装置によって保持されている前記識別情報保持装置に固有の識別情報を取得する取得手段と、前記識別情報が取得された時の前記携帯端末装置の位置を測定して位置情報を取得する測定手段と、取得された識別情報および位置情報を前記情報処理装置へ送信する送信手段と、を有し、前記情報処理装置は、前記識別情報保持装置の識別情報と前記識別情報保持装置の位置情報とを対応づけて記憶する記憶手段と、前記識別情報および前記位置情報を受信する受信手段と、記憶された位置情報のうち受信された識別情報に対応する位置情報を受信された位置情報に更新する更新手段と、を有する構成を採る。
【００１１】
この構成によれば、識別情報保持装置の識別情報が取得された際の携帯端末装置の位置を携帯端末装置が測定し、この位置を識別情報保持装置の位置情報として情報処理装置へ送信し、情報処理装置が識別情報保持装置の位置情報を更新するため、例えばホテルや遊園地などの施設内をユーザが携帯端末装置を所持して巡回することにより、電源の供給が可能となる順に識別情報保持装置の位置情報が更新される。したがって、識別情報保持装置の位置が変更される場合などにおいても、メンテナンスの簡便化を図ることができる。
【００１２】
本発明に係る携帯端末装置は、所定の位置に設置される識別情報保持装置と電波で交信する携帯端末装置であって、前記識別情報保持装置へ無線で電源を供給する供給手段と、電源が供給された識別情報保持装置によって保持されている前記識別情報保持装置に固有の識別情報を取得する取得手段と、取得された識別情報を送信する送信手段と、を有する構成を採る。
【００１３】
この構成によれば、所定の位置に設置された識別情報保持装置の識別情報を携帯端末装置が無線で電源を供給することにより取得して送信するため、この識別情報に対応する位置情報を外部から容易に取得することができるとともに、例えばホテルや遊園地などの施設に設置する識別情報保持装置が電源を備える必要がない。したがって、識別情報保持装置の構成を簡易なものとしてコストを大幅に低減することができ、施設内に万遍なく識別情報保持装置を設置することができる。この結果、安価で効率的に携帯端末装置を所持している施設利用者の位置情報を取得することができる。
【００１４】
本発明に係る位置情報取得方法は、所定の位置に設置される識別情報保持装置と、ユーザが所持する携帯端末装置と、ユーザの位置を検索する情報処理装置と、を有する位置情報取得システムにおける位置情報取得方法であって、前記携帯端末装置が、前記識別情報保持装置へ無線で電源を供給するステップと、電源が供給された識別情報保持装置によって保持されている固有の識別情報を取得するステップと、取得された識別情報を前記情報処理装置へ送信するステップと、前記情報処理装置が、前記識別情報を受信するステップと、受信された識別情報に対応してあらかじめ記憶されている位置情報を検索するステップと、検索された位置情報を前記携帯端末装置へ送信するステップと、を有するようにした。
【００１５】
この方法によれば、所定の位置に設置された識別情報保持装置の識別情報を携帯端末装置が無線で電源を供給することにより取得し、この識別情報に対応する位置情報を情報処理装置が携帯端末装置へ送信するため、例えばホテルや遊園地などの施設に設置する識別情報保持装置が電源を備える必要がない。したがって、識別情報保持装置の構成を簡易なものとしてコストを大幅に低減することができ、施設内に万遍なく識別情報保持装置を設置することができる。この結果、安価で効率的に携帯端末装置を所持している施設利用者の位置情報を取得することができる。
【００１６】
本発明に係る位置情報取得方法は、所定の位置に設置される識別情報保持装置と、ユーザが所持する携帯端末装置と、ユーザの位置を検索する情報処理装置と、を有する位置情報取得システムにおける位置情報取得方法であって、前記携帯端末装置が、前記識別情報保持装置へ無線で電源を供給するステップと、電源が供給された識別情報保持装置によって保持されている固有の識別情報を取得するステップと、前記識別情報が取得された時の前記携帯端末装置の位置を測定して位置情報を取得するステップと、取得された識別情報および位置情報を前記情報処理装置へ送信するステップと、前記情報処理装置が、前記識別情報および前記位置情報を受信するステップと、受信された識別情報に対応してあらかじめ記憶されている位置情報を受信された位置情報に更新するステップと、を有するようにした。
【００１７】
この方法によれば、識別情報保持装置の識別情報が取得された際の携帯端末装置の位置を携帯端末装置が測定し、この位置を識別情報保持装置の位置情報として情報処理装置へ送信し、情報処理装置が識別情報保持装置の位置情報を更新するため、例えばホテルや遊園地などの施設内をユーザが携帯端末装置を所持して巡回することにより、電源の供給が可能となる順に識別情報保持装置の位置情報が更新される。したがって、識別情報保持装置の位置が変更される場合などにおいても、メンテナンスの簡便化を図ることができる。
【発明の効果】
【００１８】
本発明によれば、安価で効率的に施設利用者の位置情報を取得することができるとともに、メンテナンスの簡便化を図ることができる。
【発明を実施するための最良の形態】
【００１９】
本発明の骨子は、施設利用者が所持する携帯端末装置が施設内に設置されているＩＣタグへ無線で電源を供給し、このＩＣタグの識別情報に対応する位置情報を取得し、取得された位置情報から携帯端末装置の位置を把握することである。
【００２０】
以下、本発明の実施の形態について、図面を参照して詳細に説明する。
【００２１】
（実施の形態１）
図１は、本発明の実施の形態１に係る位置情報取得システムの構成を示す概念図である。同図に示すように、本実施の形態に係る位置情報取得システムは、施設利用者が所持する携帯端末装置１００、施設内の所定の位置に設置された識別情報保持装置２００ａ、２００ｂ、および携帯端末装置１００から送信される識別情報に対応する位置情報を検索する情報処理装置３００を有している。
【００２２】
携帯端末装置１００は、識別情報保持装置２００ａや識別情報保持装置２００ｂへ無線で電源を供給し、これらの識別情報保持装置２００ａ、２００ｂに保持されている識別情報を読み取る。すなわち、識別情報保持装置２００ａ、２００ｂは、ＩＣタグのようにそれぞれ自装置の識別情報を保持しており、携帯端末装置１００は、これらの識別情報保持装置２００ａ、２００ｂに電源を供給して識別情報を読み取る。そして、携帯端末装置１００は、自装置の識別情報と識別情報保持装置２００ａ、２００ｂの識別情報とを情報処理装置３００へ送信する。
【００２３】
情報処理装置３００は、携帯端末装置１００から送信された識別情報のうち、識別情報保持装置２００ａ、２００ｂの識別情報に対応する位置情報を検索し、この位置情報を携帯端末装置１００へ返信する。
【００２４】
図２は、本実施の形態に係る携帯端末装置１００の要部構成を示すブロック図である。同図に示すように、携帯端末装置１００は、電源供給部１１０、識別情報読取部１２０、制御部１３０、識別情報記憶部１４０、送受信部１５０、表示部１６０、および操作部１７０を有している。
【００２５】
電源供給部１１０は、制御部１３０による制御に従って、アンテナを介して無線で識別情報保持装置２００ａや識別情報保持装置２００ｂへ電源を供給する。電源供給部１１０による電源の供給は、比較的微弱な電波によってなされるため、携帯端末装置１００の位置から所定の範囲内に位置する識別情報保持装置にのみ電源が供給される。以下の説明では、識別情報保持装置２００ａにのみ電源が供給されるものとする。
【００２６】
識別情報読取部１２０は、自装置が電源を供給している識別情報保持装置２００ａに保持された識別情報を読み取る。
【００２７】
制御部１３０は、操作部１７０において入力される施設利用者の操作または図示しない他の装置から送受信部１５０によって受信された位置情報問い合わせ信号に従って、周辺に位置する識別情報保持装置２００ａに電源を供給するように電源供給部１１０を制御する。また、制御部１３０は、識別情報記憶部１４０に記憶されている自装置の識別情報と識別情報読取部１２０によって読み取られた識別情報保持装置２００ａの識別情報とを情報処理装置３００へ送信するように送受信部１５０を制御する。さらに、制御部１３０は、情報処理装置３００から自装置の位置情報を受信すると、位置情報を表示部１６０に表示させたり、送受信部１５０から図示しない他の装置へ送信させたりする。
【００２８】
識別情報記憶部１４０は、自装置に固有の識別情報を記憶している。携帯端末装置１００および識別情報保持装置２００ａ、２００ｂのそれぞれに保持記憶されている識別情報は、それぞれの装置に固有のものである。識別情報保持装置２００ａ、２００ｂの識別情報は、周辺に位置する携帯端末装置１００の位置を情報処理装置３００が検索するために用いられ、携帯端末装置１００の識別情報は、検索された位置情報を送信する宛先（携帯端末装置１００）の判別のために用いられる。
【００２９】
送受信部１５０は、制御部１３０の制御に従って、識別情報保持装置２００ａから読み取った識別情報および識別情報記憶部１４０に記憶されている識別情報をアンテナを介して情報処理装置３００へ送信する。また、送受信部１５０は、情報処理装置３００から送信される自装置の位置情報をアンテナを介して受信する。さらに、送受信部１５０は、図示しない他の装置から位置情報問い合わせ信号を受信したり、自装置の位置情報を図示しない他の装置へ送信したりする。
【００３０】
表示部１６０は、制御部１３０の制御に従って、情報処理装置３００から受信した自装置の位置情報を表示する。
【００３１】
操作部１７０は、例えばキーやタッチパネルなどから構成されており、施設利用者が自身の現在位置を把握したい場合などに携帯端末装置１００に位置情報を取得させる操作が入力される。
【００３２】
図３は、本実施の形態に係る識別情報保持装置２００ａの要部構成を示すブロック図である。なお、識別情報保持装置２００ｂの構成も図３に示す識別情報保持装置２００ａの構成と同様である。同図に示すように、識別情報保持装置２００ａは、電源受取部２１０、識別情報記憶部２２０、および識別情報送出部２３０を有している。
【００３３】
電源受取部２１０は、携帯端末装置１００から無線で供給される電源を受け取り、識別情報保持装置２００ａを始動させる。
【００３４】
識別情報記憶部２２０は、自装置に固有の識別情報を記憶しており、携帯端末装置１００から電源を受け取って自装置が始動すると、記憶している識別情報を識別情報送出部２３０へ出力する。
【００３５】
識別情報送出部２３０は、自装置に固有の識別情報を自装置に電源を供給している携帯端末装置１００へ送出する。
【００３６】
図４は、本実施の形態に係る情報処理装置３００の要部構成を示すブロック図である。同図に示すように、情報処理装置３００は、送受信部３１０、識別情報抽出部３２０、情報処理部３３０、位置情報記憶部３４０、および宛先設定部３５０を有している。
【００３７】
送受信部３１０は、携帯端末装置１００からアンテナを介して携帯端末装置１００および識別情報保持装置２００ａの識別情報を受信し、識別情報保持装置２００ａの識別情報に対応する位置情報を携帯端末装置１００へ送信する。
【００３８】
識別情報抽出部３２０は、携帯端末装置１００から受信された識別情報のうち、識別情報保持装置２００ａの識別情報を抽出して情報処理部３３０へ出力するとともに、携帯端末装置１００の識別情報を抽出して宛先設定部３５０へ出力する。
【００３９】
情報処理部３３０は、識別情報保持装置２００ａの識別情報に対応する位置情報を位置情報記憶部３４０から読み出して、宛先設定部３５０へ出力する。
【００４０】
位置情報記憶部３４０は、施設内に設置されているすべての識別情報保持装置の識別情報と位置情報を対応づけて記憶している。
【００４１】
宛先設定部３５０は、情報処理部３３０によって検索された位置情報の宛先を識別情報抽出部３２０によって抽出された識別情報に対応する携帯端末装置１００に設定する。
【００４２】
次いで、上記のように構成された携帯端末装置１００、識別情報保持装置２００ａ、および情報処理装置３００からなる位置情報取得システムの動作について説明する。なお、以下においては、携帯端末装置１００を所持している施設利用者自身が現在位置を把握する際の動作について説明するが、図示しない他の装置から位置情報問い合わせ信号が受信された際の動作についてもほぼ同様である。
【００４３】
まず、施設利用者が操作部１７０を操作することによって、位置情報の取得を開始する。すなわち、操作部１７０に位置情報取得の開始が入力されると、制御部１３０の制御によって、電源供給部１１０から周辺の識別情報保持装置に無線で電源が供給される。ここでは、電源供給が可能な範囲には識別情報保持装置２００ａのみが位置しているため、識別情報保持装置２００ａに電源が供給される。
【００４４】
電源供給部１１０から電源が供給されるため、識別情報保持装置は電源を備えている必要がなく、識別情報保持装置を簡易な構成として製造にかかるコストを大幅に低減することができる。このため、識別情報保持装置を施設内全体に万遍なく設置しておくことができ、効率的に施設利用者の位置情報を取得することができる。
【００４５】
電源供給部１１０から無線で供給された電源は、識別情報保持装置２００ａの電源受取部２１０によって受け取られ、識別情報保持装置２００ａが始動して、識別情報記憶部２２０から識別情報保持装置２００ａの識別情報が出力される。そして、識別情報送出部２３０によって、識別情報保持装置２００ａの識別情報が携帯端末装置１００へ送出される。
【００４６】
識別情報保持装置２００ａから送出された識別情報は、携帯端末装置１００の識別情報読取部１２０によって読み取られ、制御部１３０へ出力される。そして、制御部１３０によって、識別情報記憶部１４０に記憶されている携帯端末装置１００の識別情報が読み出され、識別情報保持装置２００ａの識別情報と共に送受信部１５０へ出力される。そして、送受信部１５０によって、携帯端末装置１００および識別情報保持装置２００ａの識別情報がアンテナを介して情報処理装置３００へ送信される。
【００４７】
携帯端末装置１００から送信された識別情報は、情報処理装置３００の送受信部３１０によって受信され、識別情報抽出部３２０へ出力される。そして、識別情報抽出部３２０によって、識別情報保持装置２００ａの識別情報が抽出されて情報処理部３３０へ出力され、携帯端末装置１００の識別情報が抽出されて宛先設定部３５０へ出力される。
【００４８】
そして、情報処理部３３０によって、識別情報保持装置２００ａの識別情報に対応する位置情報が位置情報記憶部３４０から読み出され、宛先設定部３５０へ出力される。読み出された位置情報は、宛先設定部３５０によって、宛先が携帯端末装置１００に設定された上で、送受信部３１０からアンテナを介して送信される。
【００４９】
情報処理装置３００から送信された位置情報は、携帯端末装置１００の送受信部１５０によって受信され、制御部１３０へ出力される。そして、制御部１３０によって、携帯端末装置１００の位置情報が表示部１６０に表示される。これにより、施設利用者は、自身の現在位置を把握することができる。
【００５０】
なお、上述したように、図示しない他の装置から位置情報問い合わせ信号が受信された際の動作もほぼ同様であるが、携帯端末装置１００は、位置情報問い合わせ信号が受信された場合に、電源供給部１１０から周辺の識別情報保持装置に無線で電源を供給する。また、情報処理装置３００から受信した位置情報を図示しない他の装置へ送信する。
【００５１】
以上のように、本実施の形態によれば、携帯端末装置が無線で電源を供給し、電源の供給が可能な範囲にある識別情報保持装置の識別情報を携帯端末装置の識別情報と共に情報処理装置へ送信し、情報処理装置が識別情報保持装置の識別情報に対応する位置情報を検索して携帯端末装置へ返信する。このため、簡易な構成の識別情報保持装置を施設内に万遍なく設置して、安価で効率的に施設利用者の位置情報を取得することができる。
【００５２】
なお、上記実施の形態においては、携帯端末装置１００が識別情報保持装置２００ａのみの識別情報を読み取るものとして説明したが、無線による電源供給が可能な範囲内に複数の識別情報保持装置が位置していれば、携帯端末装置１００は、複数の識別情報保持装置の識別情報を読み取るようにしても良い。例えば、上記実施の形態において、識別情報保持装置２００ａおよび識別情報保持装置２００ｂが無線による電源供給が可能な範囲内に位置していれば、携帯端末装置１００は、これら２つの識別情報保持装置の識別情報を読み取り、情報処理装置３００へ送信する。そして、これら２つの識別情報保持装置の識別情報に対応する位置情報の中点などを情報処理装置３００または携帯端末装置１００において算出することにより、さらに正確に携帯端末装置１００の位置を把握することができる。
【００５３】
（実施の形態２）
本発明の実施の形態２の特徴は、携帯端末装置が識別情報保持装置の位置を測定し、情報処理装置に記憶されている識別情報保持装置の位置情報を更新する点である。
【００５４】
図５は、本実施の形態に係る携帯端末装置４００の要部構成を示すブロック図である。図５に示す携帯端末装置４００において、図２に示す携帯端末装置１００と同じ部分には同じ符号を付し、その説明を省略する。図５に示すように、携帯端末装置４００は、携帯端末装置１００の識別情報記憶部１４０に代えて、位置測定部４１０を設ける構成を採る。
【００５５】
位置測定部４１０は、例えばＧＰＳ（Global Positioning System：汎地球測位システム）受信機などを備えて構成され、識別情報読取部１２０によって識別情報保持装置２００ａ、２００ｂの識別情報が読み取られた際に位置測定を実行する。
【００５６】
本実施の形態に係る識別情報保持装置２００ａ、２００ｂおよび情報処理装置３００の構成は、それぞれ図３および図４と同じであるため、その説明を省略する。
【００５７】
次いで、上記のように構成された携帯端末装置４００、識別情報保持装置２００ａ、および情報処理装置３００からなる位置情報取得システムの動作について説明する。なお、本実施の形態に係る位置情報取得システムの動作は、識別情報保持装置の位置情報の更新などのメンテナンス中に実行されるものであり、識別情報保持装置の位置の変更などに伴う動作である。以下においては、識別情報保持装置２００ａの位置が変更される場合の動作について説明する。
【００５８】
まず、操作部１７０が操作されることによって、位置情報の更新が開始される。操作部１７０に位置情報更新の開始が入力されると、制御部１３０の制御によって、電源供給部１１０から位置情報の更新対象となる識別情報保持装置２００ａに無線で電源が供給される。
【００５９】
電源供給部１１０から無線で供給された電源は、識別情報保持装置２００ａの電源受取部２１０によって受け取られ、識別情報保持装置２００ａが始動して、識別情報記憶部２２０から識別情報保持装置２００ａの識別情報が出力される。そして、識別情報送出部２３０によって、識別情報保持装置２００ａの識別情報が携帯端末装置４００へ送出される。
【００６０】
識別情報保持装置２００ａから送出された識別情報は、携帯端末装置４００の識別情報読取部１２０によって読み取られ、制御部１３０へ出力される。一方、識別情報が識別情報読取部１２０によって読み取られると、位置測定部４１０に備えられたＧＰＳ受信機などによって、携帯端末装置４００の現在位置が測定される。そして、制御部１３０によって、位置測定部４１０で測定されている携帯端末装置４００の現在位置が読み出され、この携帯端末装置４００の現在位置が識別情報保持装置２００ａの位置情報として識別情報保持装置２００ａの識別情報と共に送受信部１５０へ出力される。そして、送受信部１５０によって、識別情報保持装置２００ａの識別情報および位置情報がアンテナを介して情報処理装置３００へ送信される。
【００６１】
携帯端末装置４００から送信された識別情報および位置情報は、情報処理装置３００の送受信部３１０によって受信され、識別情報抽出部３２０へ出力される。そして、識別情報抽出部３２０によって、識別情報保持装置２００ａの識別情報が抽出されて位置情報と共に情報処理部３３０へ出力される。
【００６２】
そして、情報処理部３３０によって、位置情報記憶部３４０に記憶されている位置情報のうち、識別情報保持装置２００ａの識別情報に対応する位置情報が受信された位置情報に更新される。
【００６３】
これにより、識別情報保持装置２００ａの位置情報が最新のものに更新され、以後、例えば実施の形態１の携帯端末装置１００によって位置情報の取得動作が行われる際に、情報処理装置３００は、最新の識別情報保持装置２００ａの位置情報を検索・提供することができる。
【００６４】
また、携帯端末装置４００の使用者が、例えば電源供給部１１０から周辺の識別情報保持装置に電源を供給し続けながら施設内をくまなく移動し、この間連続して位置測定部４１０にて位置測定を行い、電源供給が可能になった識別情報保持装置の位置を順次更新するようにしても良い。このようにすれば、携帯端末装置４００の使用者は、周期的に施設内を巡回するだけで、すべての識別情報保持装置の位置情報を最新の状態に保つことができ、例えば識別情報保持装置の位置が勝手に変更されているような場合でも、容易に位置情報の更新を行うことができる。
【００６５】
以上のように、本実施の形態によれば、携帯端末装置が位置情報を取得し、周辺の識別情報保持装置の識別情報と共に情報処理装置へ送信し、情報処理装置が識別情報保持装置の位置情報を更新する。このため、携帯端末装置を所持して施設内を巡回するのみで、識別情報保持装置の位置情報を常に最新に保つことができ、メンテナンスの簡便化を図ることができる。
【００６６】
なお、上記実施の形態においては、位置測定部４１０にＧＰＳ受信機を備えるものとしたが、例えば速度センサや方位センサを備えるようにしても良い。要するに、自立的に携帯端末装置４００の位置を測定できる構成であれば良い。
【００６７】
本発明の第１の態様に係る位置情報取得システムは、所定の位置に設置される識別情報保持装置と、ユーザが所持する携帯端末装置と、ユーザの位置を検索する情報処理装置と、を有する位置情報取得システムであって、前記携帯端末装置は、前記識別情報保持装置へ無線で電源を供給する供給手段と、電源が供給された識別情報保持装置によって保持されている前記識別情報保持装置に固有の識別情報を取得する取得手段と、取得された識別情報を前記情報処理装置へ送信する送信手段と、を有し、前記情報処理装置は、前記識別情報保持装置の識別情報と前記識別情報保持装置の位置情報とを対応づけて記憶する記憶手段と、前記識別情報を受信する受信手段と、記憶された位置情報のうち受信された識別情報に対応する位置情報を前記携帯端末装置へ送信する送信手段と、を有する構成を採る。
【００６８】
この構成によれば、所定の位置に設置された識別情報保持装置の識別情報を携帯端末装置が無線で電源を供給することにより取得し、この識別情報に対応する位置情報を情報処理装置が携帯端末装置へ送信するため、例えばホテルや遊園地などの施設に設置する識別情報保持装置が電源を備える必要がない。したがって、識別情報保持装置の構成を簡易なものとしてコストを大幅に低減することができ、施設内に万遍なく識別情報保持装置を設置することができる。この結果、安価で効率的に携帯端末装置を所持している施設利用者の位置情報を取得することができる。
【００６９】
本発明の第２の態様に係る位置情報取得システムは、上記第１の態様において、前記携帯端末装置は、前記携帯端末装置に固有の識別情報を前記識別情報保持装置の識別情報と共に送信し、前記情報処理装置は、前記携帯端末装置の識別情報から前記位置情報を送信する宛先を前記携帯端末装置に設定する設定手段、をさらに有する構成を採る。
【００７０】
この構成によれば、携帯端末装置に固有の識別情報から情報処理装置が位置情報の宛先を設定するため、位置情報の取得を希望している携帯端末装置を情報処理装置で得られた位置情報の宛先として確実に設定することができる。
【００７１】
本発明の第３の態様に係る位置情報取得システムは、上記第１の態様において、前記情報処理装置は、前記携帯端末装置から複数の識別情報を受信した場合に、前記複数の識別情報に対応する複数の位置情報から前記携帯端末装置の位置を算出する算出手段、をさらに有する構成を採る。
【００７２】
この構成によれば、複数の識別情報に対応する複数の位置情報から携帯端末装置の位置を算出するため、さらに正確に携帯端末装置の位置を把握することができる。
【００７３】
本発明の第４の態様に係る位置情報取得システムは、所定の位置に設置される識別情報保持装置と、ユーザが所持する携帯端末装置と、ユーザの位置を検索する情報処理装置と、を有する位置情報取得システムであって、前記携帯端末装置は、前記識別情報保持装置へ無線で電源を供給する供給手段と、電源が供給された識別情報保持装置によって保持されている前記識別情報保持装置に固有の識別情報を取得する取得手段と、前記識別情報が取得された時の前記携帯端末装置の位置を測定して位置情報を取得する測定手段と、取得された識別情報および位置情報を前記情報処理装置へ送信する送信手段と、を有し、前記情報処理装置は、前記識別情報保持装置の識別情報と前記識別情報保持装置の位置情報とを対応づけて記憶する記憶手段と、前記識別情報および前記位置情報を受信する受信手段と、記憶された位置情報のうち受信された識別情報に対応する位置情報を受信された位置情報に更新する更新手段と、を有する構成を採る。
【００７４】
この構成によれば、識別情報保持装置の識別情報が取得された際の携帯端末装置の位置を携帯端末装置が測定し、この位置を識別情報保持装置の位置情報として情報処理装置へ送信し、情報処理装置が識別情報保持装置の位置情報を更新するため、例えばホテルや遊園地などの施設内をユーザが携帯端末装置を所持して巡回することにより、電源の供給が可能となる順に識別情報保持装置の位置情報が更新される。したがって、識別情報保持装置の位置が変更される場合などにおいても、メンテナンスの簡便化を図ることができる。
【００７５】
本発明の第５の態様に係る携帯端末装置は、所定の位置に設置される識別情報保持装置と電波で交信する携帯端末装置であって、前記識別情報保持装置へ無線で電源を供給する供給手段と、電源が供給された識別情報保持装置によって保持されている前記識別情報保持装置に固有の識別情報を取得する取得手段と、取得された識別情報を送信する送信手段と、を有する構成を採る。
【００７６】
この構成によれば、所定の位置に設置された識別情報保持装置の識別情報を携帯端末装置が無線で電源を供給することにより取得して送信するため、この識別情報に対応する位置情報を外部から容易に取得することができるとともに、例えばホテルや遊園地などの施設に設置する識別情報保持装置が電源を備える必要がない。したがって、識別情報保持装置の構成を簡易なものとしてコストを大幅に低減することができ、施設内に万遍なく識別情報保持装置を設置することができる。この結果、安価で効率的に携帯端末装置を所持している施設利用者の位置情報を取得することができる。
【００７７】
本発明の第６の態様に係る携帯端末装置は、上記第５の態様において、前記識別情報が取得された時の自装置の位置を測定して位置情報を取得する測定手段、をさらに有し、前記送信手段は、取得された識別情報および位置情報を送信する構成を採る。
【００７８】
この構成によれば、識別情報保持装置の識別情報が取得された際の携帯端末装置の位置を測定して位置情報として識別情報と共に送信するため、この識別情報に対応してあらかじめ外部に記憶されている位置情報を容易に更新することができ、例えばホテルや遊園地などの施設内をユーザが携帯端末装置を所持して巡回することにより、電源の供給が可能となる順に識別情報保持装置の位置情報が更新される。したがって、識別情報保持装置の位置が変更される場合などにおいても、メンテナンスの簡便化を図ることができる。
【００７９】
本発明の第７の態様に係る位置情報取得方法は、所定の位置に設置される識別情報保持装置と、ユーザが所持する携帯端末装置と、ユーザの位置を検索する情報処理装置と、を有する位置情報取得システムにおける位置情報取得方法であって、前記携帯端末装置が、前記識別情報保持装置へ無線で電源を供給するステップと、電源が供給された識別情報保持装置によって保持されている固有の識別情報を取得するステップと、取得された識別情報を前記情報処理装置へ送信するステップと、前記情報処理装置が、前記識別情報を受信するステップと、受信された識別情報に対応してあらかじめ記憶されている位置情報を検索するステップと、検索された位置情報を前記携帯端末装置へ送信するステップと、を有するようにした。
【００８０】
この方法によれば、所定の位置に設置された識別情報保持装置の識別情報を携帯端末装置が無線で電源を供給することにより取得し、この識別情報に対応する位置情報を情報処理装置が携帯端末装置へ送信するため、例えばホテルや遊園地などの施設に設置する識別情報保持装置が電源を備える必要がない。したがって、識別情報保持装置の構成を簡易なものとしてコストを大幅に低減することができ、施設内に万遍なく識別情報保持装置を設置することができる。この結果、安価で効率的に携帯端末装置を所持している施設利用者の位置情報を取得することができる。
【００８１】
本発明の第８の態様に係る位置情報取得方法は、所定の位置に設置される識別情報保持装置と、ユーザが所持する携帯端末装置と、ユーザの位置を検索する情報処理装置と、を有する位置情報取得システムにおける位置情報取得方法であって、前記携帯端末装置が、前記識別情報保持装置へ無線で電源を供給するステップと、電源が供給された識別情報保持装置によって保持されている固有の識別情報を取得するステップと、前記識別情報が取得された時の前記携帯端末装置の位置を測定して位置情報を取得するステップと、取得された識別情報および位置情報を前記情報処理装置へ送信するステップと、前記情報処理装置が、前記識別情報および前記位置情報を受信するステップと、受信された識別情報に対応してあらかじめ記憶されている位置情報を受信された位置情報に更新するステップと、を有するようにした。
【００８２】
この方法によれば、識別情報保持装置の識別情報が取得された際の携帯端末装置の位置を携帯端末装置が測定し、この位置を識別情報保持装置の位置情報として情報処理装置へ送信し、情報処理装置が識別情報保持装置の位置情報を更新するため、例えばホテルや遊園地などの施設内をユーザが携帯端末装置を所持して巡回することにより、電源の供給が可能となる順に識別情報保持装置の位置情報が更新される。したがって、識別情報保持装置の位置が変更される場合などにおいても、メンテナンスの簡便化を図ることができる。
【産業上の利用可能性】
【００８３】
本発明に係る位置情報取得システム、携帯端末装置、および位置情報取得方法は、安価で効率的に施設利用者の位置情報を取得することができるとともに、メンテナンスの簡便化を図ることができ、例えばホテルや遊園地などの施設において利用者の位置を把握するために用いられる位置情報取得システム、携帯端末装置、および位置情報取得方法として有用である。
【図面の簡単な説明】
【００８４】
【図１】本発明の実施の形態１に係る位置情報取得システムの構成を示す概念図
【図２】実施の形態１に係る携帯端末装置の要部構成を示すブロック図
【図３】実施の形態１に係る識別情報保持装置の要部構成を示すブロック図
【図４】実施の形態１に係る情報処理装置の要部構成を示すブロック図
【図５】本発明の実施の形態２に係る携帯端末装置の要部構成を示すブロック図
【符号の説明】
【００８５】
１００、４００  携帯端末装置
１１０  電源供給部
１２０  識別情報読取部
１３０  制御部
１４０、２２０  識別情報記憶部
１５０  送受信部
１６０  表示部
１７０  操作部
２００ａ、２００ｂ  識別情報保持装置
２１０  電源受取部
２３０  識別情報送出部
３００  情報処理装置
３１０  送受信部
３２０  識別情報抽出部
３３０  情報処理部
３４０  位置情報記憶部
３５０  宛先設定部
４１０  位置測定部
【図１】
2006078318.tif 000003
【図２】
2006078318.tif 000004
【図３】
2006078318.tif 000005
【図４】
2006078318.tif 000006
【図５】
2006078318.tif 000007